(57)【特許請求の範囲】
【請求項１】
電子機器のハウジング適所に形成された押釦収納穴に押釦を収納し、押釦挿通孔を形成した化粧シートを取着した構造とした電子機器であって、
上記押釦は、使用しない時には、上記押釦収納穴に隣接された収容凹所内に格納して、上記化粧シートによって隠蔽される構造にしている電子機器の押釦構造。
【請求項２】
請求項１において、
隣接された上記収容凹所と押釦収納穴の境界部分には、軸承部が形成されており、
上記押釦は、その本体部に設けた軸部を上記軸承部に挿入し、回動反転させることによって、上記収容凹所と上記押釦収納穴に入れ替えて使用する構造にしている電子機器の押釦構造。
【請求項３】
請求項１又は２の何れかにおいて、
上記押釦収納穴には、押釦に弾性力を付与するバネ片を一体的に形成している電子機器の押釦構造。
【請求項４】
請求項１〜３のいずれかにおいて、
上記化粧シートは、上記電子機器のハウジング側に設けた押釦を選択的に露見させるための押釦挿通孔を形成した複数種別のものが交換可能に取り付けられる構造にしている電子機器の押釦構造。
【請求項５】
請求項１〜４のいずれかにおいて、
上記化粧シートは、上記電子機器のハウジング側に設けた押釦を露見、隠蔽させるためのスイッチカバー部と、それに隣接する表示部を覆い隠す、表示部カバー部とで構成されている電子機器の押釦構造。
【請求項６】
請求項１〜５のいずれかにおいて、
上記電子機器は、セキュリティーセンサーを接続して使用する、複数の押釦と、それに対応した表示部を設けたアラームユニットである電子機器の押釦構造。
【発明の詳細な説明】
【０００１】
【発明の属する技術分野】
本発明は、電子機器の押釦構造に関する。
【０００２】
【従来の技術】
図４は、従来の電子機器の押釦構造を示す分解斜視図である。
【０００３】
電子機器１００の押釦１０１は、この電子機器１００のハウジング１０２の適所に形成された押釦収納穴１０３にバネ１０４を介して収納されている。
【０００４】
また、押釦１０１の押操作によりオン、オフされるスイッチ部１３１が、電子機器１００の本体１３０内の回路基板１３２に実装されている。
【０００５】
回路基板１３２には、スイッチ部１３１のオン、オフに連動して点灯や消灯される表示灯１３３が実装されており、この表示灯１３３の光は、ハウジング１０２に開設された表示部１０５を通じて外部に表示される。
【０００６】
これらの押釦１０１や表示部１０５には、その上方から化粧シート１１０を覆い隠して固着されている。
【０００７】
化粧シート１１０は、ハウジング１０２側に設置された押釦１０１を露見させるためのスイッチカバー部１１１と、それに隣接する表示部１１２を覆い隠す表示部カバー部１１２とで構成されている。
【０００８】
化粧シート１１０のスイッチカバー部１１１には、押釦１０１の対応する位置に押釦挿通孔１１３を形成しており、また、表示部カバー部１１２は、その全体をブラックシートで形成すると共に、表示部１０５の対応する位置に、表示灯１０５の光を透光するように防犯、警報等の文字、図柄等が描かれている。
【０００９】
【発明が解決しようとする課題】
しかしながら、従来の電子機器の押釦構造は、押釦１０１の数に合わせてハウジング１０２の押釦収納穴１０３を各々形成しているので、例えば、種類の異なる電子機器などのように、押釦１０１の数が増減されると、これに合わせて押釦収納穴１０３を設けたハウジング１０２を別途形成しなければならず、多種の電子機器を製造するために多大なコストや手間を要する問題があった。
【００１０】
また、押釦１０１は、スイッチ部１３１に単に被せただけでは、ガタツキが生じ易いため、そのガタツキを解消するためにバネ１０４を介在しているが、このようなバネ１０４に押釦１０４を被せたものでは、押釦１０１の組付けが難く、手間を要するという問題もあった。
【００１１】
本発明は、かかる課題を解決することを目的とするもので、１つのハウジングによって多種の電子機器に対応させることができ、しかも、ガタツキを防止して容易に組付け可能な電子機器の押釦構造を提供している。
【００１２】
【課題を解決するための手段】
上記目的を達成するため、
請求項１に係る電子機器の押釦構造は、電子機器のハウジング適所に形成された押釦収納穴に押釦を収納し、押釦挿通孔を形成した化粧シートを取着した構造とした電子機器であって、上記押釦は、使用しない時には、上記押釦収納穴に隣接された収容凹所内に格納して、上記化粧シートによって隠蔽される構造にしている。
【００１３】
このものでは、電子機器の種類に合わせて、使用しない押釦を格納する収容凹所をハウジングに形成している。
【００１４】
そのため、使用しない押釦を収容凹所に格納し、これに対応する化粧プレートで収容凹所と押釦収納穴を隠蔽するように取着すれば、１つのハウジングによって多種の電子機器に対応させることができる。
【００１５】
請求項２に係る電子機器の押釦構造は、請求項１において、隣接された上記収容凹所と押釦収納穴の境界部分には、軸承部が形成されており、上記押釦は、その本体部に設けた軸部を上記軸承部に挿入し、回動反転させることによって、上記収容凹所と上記押釦収納穴に入れ替えて使用する構造にしている。
【００１６】
このものでは、押釦を反転回動可能な構造にして、押釦を使用する時には、押釦収納穴に収容しておき、使用しない時には、これを反転回動させて、収容凹所に格納する。
【００１７】
そのため、１つのハウジングによって多種の電子機器に対応させることができると共に、使用する押釦と使用しない押釦との入れ替えが容易にできる。
【００１８】
請求項３に係る電子機器の押釦構造は、請求項１又は２の何れかにおいて、上記押釦収納穴には、押釦に弾性力を付与するバネ片を一体的に形成している。
【００１９】
このものでは、押釦収納穴には、バネ片を一体形成しているので、押釦のガタツキを防止できるうえ、その組付けも容易にできる。
【００２０】
請求項４に係る電子機器の押釦構造は、請求項１〜３のいずれかにおいて、上記化粧シートは、上記電子機器のハウジング側に設けた押釦を選択的に露見させるための押釦挿通孔を形成した複数種別のものが交換可能に取り付けられる構造にしている。
【００２１】
このものでは、化粧シートが交換可能に取り付けられる構造にしているので、使用する押釦の配置に合わせて、押釦挿通孔を異なるパターンで穿孔しておき、押釦に応じた化粧シートを取替えて使用するだけで、多種の電子機器に対応させることができる。
【００２２】
請求項５に係る電子機器の押釦構造は、請求項１〜４のいずれかにおいて、上記化粧シートは、上記電子機器のハウジング側に設けた押釦を露見、隠蔽させるためのスイッチカバー部と、それに隣接する表示部を覆い隠す、表示部カバー部とで構成されている。
【００２３】
このものでは、化粧シートが、スイッチカバー部と、表示部カバー部とで構成されているので、使用する押釦の配置に合わせて、スイッチカバー部と、表示部カバー部とを異なるパターンで形成しておき、押釦に応じた化粧シートを取替えて使用するだけで、多種の電子機器に対応させることができる。
【００２４】
請求項６に係る電子機器の押釦構造は、請求項１〜５のいずれかにおいて、上記電子機器は、セキュリティーセンサーを接続して使用する、複数の押釦と、それに対応した表示部を設けたアラームユニットである。
【００２５】
このものでは、請求項１〜５の効果をアラームユニットとして発揮させることができる。
【００２６】
【発明の実施の形態】
以下、本発明の実施の形態を図面とともに説明する。
【００２７】
図１は、本発明に係る電子機器の押釦構造の全体を示す分解斜視図であり、図２は、図１の要部を拡大した斜視図である。
【００２８】
本実施例では、本発明の押釦構造が使用される電子機器Ａとして、例えば集合住宅やビルなどに設けたセキュリティーセンサー（不図示）に接続して使用する、複数の押釦４、１２と、それに対応した表示部９を設けたアラームユニットを例示しているが、電子機器Ａの種類はこれに限らず、電子機器Ａであれば構わない。
【００２９】
この電子機器Ａは、ハウジング１と本体２からなり、このハウジング１の一部に表面側から化粧シート３を取着した構造にしている。
【００３０】
ハウジング１には、火災等の非常事態を発報させる非常警報スイッチ釦１１、警報を解除する警報解除スイッチ釦１２、非常通話用釦１３、マイク、スピーカー１４、通話音量スイッチ１５を設けている。
【００３１】
また、上記アラームユニットには、防犯等の警戒を行う防犯用の押釦４が併設されることもあり、ここでは、非常通話用釦１３の近傍に押釦収納穴５を形成し、この押釦収納穴５に押釦４を収納して、これに押釦挿通孔３１を形成した化粧シート３で覆い隠す構造ものを示している。
【００３２】
押釦４は、図２で示すように、円形の本体部４１の一側に軸部４２を設け、その他側には爪部４３を突設している。なお、本体部４１の形状は、これに限定されるものではない。
【００３３】
押釦収納穴５には、これに隣接して略対称形の収容凹所６を形成し、この収容凹所６は、押釦４を完全に格納できる。
【００３４】
また、隣接された収容凹所６と押釦収納穴５の境界部分には、軸承部７が形成されており、押釦４は、その本体部４１に設けた軸部４２を軸承部７に挿入し、回動反転させることによって、収容凹所６と押釦収納穴５に入れ替えて使用する構造にしている。
【００３５】
なお、６１は、押釦４の爪部４３を格納するための凹部であり、５１は、押釦４の爪部４３を係止するための係止部である。
【００３６】
また、押釦収納穴５には、押釦４に弾性力を付与するバネ片８が、ハウジング１と一体的に形成されている。
【００３７】
このバネ片８は、２本の弾性バネ片８１、８２で構成されており、各弾性バネ片８１、８２は、押釦４を支持するようにして押釦収納穴１５の中に形成されている。
【００３８】
各弾性バネ片８１、８２は、略半弧程度の長さに円弧状に構成され、各々の基端を押釦収納穴５の対向位置に設けている。
【００３９】
具体的には、弾性バネ片８１、８２は、その円弧状の部分を、押釦４の本体部４１の底面外周に沿って形成され、しかも、弾性バネ片８１、８２の円弧状部分は、先端に向けて徐々に上方に傾斜させて形成している。
【００４０】
そのため、押釦４は、弾性バネ片８１、８２の円弧状部分の先端で支持されるため、僅かな力で押釦４を押し込むことができる。
【００４１】
このような構造のバネ片８によれば、対向位置に形成した２本の弾性バネ片８１、８２で押釦４を支持しているので、そのガタツキを防止できる。
【００４２】
しかも、バネ片８は、ハウジング１と一体的に形成されているので、バネ片８を一々組付ける必要がなく、押釦４の組付け作業も容易にできる。
【００４３】
一方、電子機器Ａの本体２には、従来同様、押釦４の押操作によりオン、オフされるスイッチ部２１が、回路基板２２に実装されている。
【００４４】
回路基板２２には、スイッチ部２１のオン、オフに連動して点灯や消灯される表示灯２３が実装されており、この表示灯２３の光は、ハウジング１に開設された表示部９を通じて外部に表示される。
【００４５】
これらの押釦４や表示部９には、その上方から化粧シート３が覆い隠される。
【００４６】
化粧シート３は、電子機器Ａのハウジング１側に設けた押釦４（１２、１５）を露見、隠蔽させるためのスイッチカバー部３２と、それに隣接する表示部９を覆い隠す、表示部カバー部３３とで構成されている。
【００４７】
スイッチカバー部３２には、押釦４（１２、１５）の対応する位置に押釦挿通孔３１（３１’）を形成している。
【００４８】
また、表示部カバー部３３は、その全体をブラックシートで形成すると共に、表示部９の対応する位置に、表示灯２１の光を透光するように防犯、警報等の文字、図柄等が描かれている。
【００４９】
このような化粧シート３は、電子機器Ａのハウジング１側に交換可能に取り付けられる構造にしている。
【００５０】
すなわち、化粧シート３の周縁適所には、外側に突出させた差込片３４を形成すると共に、ハウジング１側には、これらの差込片３４に対応する位置に差込孔（不図示）を形成しており、このような構造にして、化粧シート３は、電子機器Ａのハウジング１側に容易に交換可能にしている。
【００５１】
また、化粧シート３は、例えば、防犯用の押釦４を設けない火災発報専用のアラームユニットに対応させるものなど、複数種別のものが形成されている。
【００５２】
図３は、本発明に係る電子機器の押釦構造の使用例を示す使用状態図である。
【００５３】
図３（ａ）は、防犯用等の押釦を設けるタイプのアラームユニットを示し、図３（ｂ）は、防犯用等の押釦を設けないタイプのアラームユニットを示している。
【００５４】
ここで、ハウジング１及び本体２は、何れも同一構造のものが使用される。
【００５５】
上記のように構成した電子機器の押釦構造では、例えば、アラームユニットに防犯用等の押釦を設けるタイプにする場合、つまり、防犯用等の押釦４を使用するときには、図３（ａ）で示すように、防犯用の押釦４を押釦収納穴５に収納し、その爪部４３を係止部５１に係止させたうえで、ハウジング１側から、押釦４に対応する押釦挿通孔３１が形成された化粧シート３を覆い隠すのである。
【００５６】
また、例えば、アラームユニットに防犯用等の押釦を設けないタイプにする場合、つまり、防犯用等の押釦４を使用しないときには、図３（ｂ）で示すように、防犯用の押釦４を、回動反転させて収容凹所６内に格納したうえで、ハウジング１側から、押釦４を隠蔽する他の化粧シート３’で覆い隠すのである。
【００５７】
このように、本発明では、押釦４を回動反転するだけで、これを収容凹所６と押釦収納穴５に簡単に入れ替えて使用し、これに対応する化粧シート３（３’）を覆い隠すだけで、異なる種類の電子機器Ａを簡単に形成することができる。
【００５８】
なお、本実施例では、防犯用の押釦４を例示しているが、押釦４の機能は、これに限定されるものではない。
【００５９】
【発明の効果】
本発明によれば、次のような効果がある。
【００６０】
請求項１係る電子機器の押釦構造によれば、電子機器の種類に合わせて、使用しない押釦を格納する収容凹所をハウジングに形成している。
【００６１】
そのため、使用しない押釦を収容凹所に格納し、これに対応する化粧プレートで収容凹所と押釦収納穴を隠蔽するように取着すれば、１つのハウジングによって多種の電子機器に対応させることができる。
【００６２】
請求項２係る電子機器の押釦構造によれば、押釦を反転回動可能な構造にして、押釦を使用する時には、押釦収納穴に収容しておき、使用しない時には、これを反転回動させて、収容凹所に格納する。
【００６３】
そのため、１つのハウジングによって多種の電子機器に対応させることができると共に、使用する押釦と使用しない押釦との入れ替えが容易にできる。
【００６４】
請求項３係る電子機器の押釦構造によれば、押釦収納穴には、バネ片を一体形成しているので、押釦のガタツキを防止できるうえ、その組付けも容易にできる。
【００６５】
請求項４係る電子機器の押釦構造によれば、化粧シートが交換可能に取り付けられる構造にしているので、使用する押釦の配置に合わせて、押釦挿通孔を異なるパターンで穿孔しておき、押釦に応じた化粧シートを取替えて使用するだけで、多種の電子機器に対応させることができる。
【００６６】
請求項５係る電子機器の押釦構造によれば、化粧シートが、スイッチカバー部と、表示部カバー部とで構成されているので、使用する押釦の配置に合わせて、スイッチカバー部と、表示部カバー部とを異なるパターンで形成しておき、押釦に応じた化粧シートを取替えて使用するだけで、多種の電子機器に対応させることができる。
【００６７】
請求項６係る電子機器の押釦構造によれば、請求項１〜５の効果をアラームユニットとして発揮させることができる。
【図面の簡単な説明】
【図１】本発明に係る電子機器の押釦構造の全体を示す分解斜視図
【図２】図１の要部を拡大した斜視図
【図３】本発明に係る電子機器の押釦構造の使用例を示す使用状態図
【図４】従来の電子機器の押釦構造を示す分解斜視図
【符号の説明】
Ａ・・・電子機器
１・・・ハウジング
３、３’・・・化粧シート
３１・・・押釦挿通孔
３２・・・スイッチカバー部
３３・・・表示部カバー部
４・・・押釦
５・・・押釦収納穴
６・・・収容凹所
７・・・軸受部
８・・・バネ片
９・・・表示部
【図１】
0003879520.tif 000002
【図２】
0003879520.tif 000003
【図３】
0003879520.tif 000004
【図４】
0003879520.tif 000005